(57)【要約】【課題】  押下及び回動可能な可動部を有するスイッチを有するスイッチ装置において、可動部の押下を不可能とするスイッチ装置を提供する。【解決手段】  本開示のスイッチ装置は、本体部１１と、本体部１１に接続され押下及び回動可能な可動部１３と、を有するスイッチ部材１と、可動部１３に装着される操作部材２と、スイッチ部材１を前面に配置する回路基板４と、スイッチ部材１を覆い、回路基板４の前面に配置されるケース部材５と、を備え、可動部１３と本体部１１との間に配置され、可動部１３が押下されることを防止するスペーサー３と、を有する。【選択図】  図１
2020173930.tif 000002
【特許請求の範囲】
【請求項１】
本体部と、前記本体部に接続され押下及び回動可能な可動部と、を有するスイッチ部材と、
前記可動部に装着される操作部材と、を備え、
前記可動部と前記本体部との間に配置され、前記可動部が押下されることを防止するスペーサーと、
を有することを特徴とするスイッチ装置。
【請求項２】
前記スペーサーは、前記操作部材との間に隙間を有する
ことを特徴とする請求項１に記載のスイッチ装置。
【請求項３】
前記スペーサーは、前記可動部との間に隙間を有する
ことを特徴とする請求項１に記載のスイッチ装置。
【請求項４】
前記スイッチ部材を前面に配置する回路基板と、
前記スイッチ部材を覆い、前記回路基板の前面に配置されるケース部材と、を有し、
前記スペーサーは、前記回路基板と前記ケース部材に挟持される腕部を有する
ことを特徴とする請求項１に記載のスイッチ装置。
【請求項５】
前記ケース部材は、前記操作部材に当接し、前記操作部材が前記スイッチ部材から抜けることを防止する抜け止め部を有する
ことを特徴とする請求項４に記載のスイッチ装置。
【請求項６】
前記スペーサーは、前記腕部に前記本体部と当接するリブ部を有する
ことを特徴とする請求項４に記載のスイッチ装置。
【発明の詳細な説明】
【技術分野】
【０００１】
本開示は、例えば車両のメータに組み込まれ、回動操作されるスイッチ装置に関するものである。
【背景技術】
【０００２】
従来、特許文献１に記載のように、車両のメータにおいて輝度の調節などにスイッチ装置が用いられている。このスイッチ装置は、押下及び回動可能な可動部を有するスイッチと、この可動部の前方側に配置及び装着される操作部材と、を備えている。このように形成されて、ユーザーが操作部材を押下又は回動操作すると、可動部が押下又は回動し、スイッチが機能する。
【先行技術文献】
【特許文献】
【０００３】
【特許文献１】特開２０１２−５９３７７号公報
【発明の概要】
【発明が解決しようとする課題】
【０００４】
しかしながら、メータによっては、スイッチの回動機能は必要であるが押下機能は不要な場合がある。スイッチが押下可能な場合、ユーザーが操作部材を操作した際に、紛らわしさを生じさせるといった問題点があった。
【０００５】
そこで、本発明はこの様な点に鑑みなされたもので、押下及び回動可能な可動部を有するスイッチを有するスイッチ装置において、可動部の押下を防止するスイッチ装置を提供することを目的とする。
【課題を解決するための手段】
【０００６】
上記目的を達成するため、本開示のスイッチ装置は、本体部１１と、前記本体部１１に接続され押下及び回動可能な可動部１３と、を有するスイッチ部材１と、前記可動部１３に装着される操作部材２と、を備え、前記可動部１３と前記本体部１１との間に配置され、前記可動部１３が押下されることを防止するスペーサー３と、を有することを特徴とする。
【発明の効果】
【０００７】
本開示は、押下及び回動可能な可動部を有するスイッチを有するスイッチ装置において、可動部の押下を防止するスイッチ装置を提供することができる。
【図面の簡単な説明】
【０００８】
【図１】本開示の実施形態に係るスイッチ装置の断面図。
【図２】本開示のスペーサーがスイッチに装着された状態を示す斜視図。
【図３】本開示のスペーサーとケース部材の裏面斜視図。
【発明を実施するための形態】
【０００９】
本開示の実施形態に係るスイッチ装置１００を、図１乃至３を参照して説明する。本開示はこれら実施形態に限定されるものではなく、本開示を逸脱することなく種々の変更が可能である。スイッチ装置１００は、車両（例えば、自動車）に搭載され、所定の計測量（車両速度など）を表示する計器装置の中のスイッチ装置として構成される。
【００１０】
尚、以下では、スイッチ装置１００の構成の理解を容易にするために、各部材に対して、スイッチ装置１００から車両運転席に着座したユーザーを見る方向（表示板６側）を「前（正面）」、その反対側（回路基板４側）を「後（背面）」とする。
【００１１】
スイッチ装置１００は、本体部１１と、可動部１３と、を有するスイッチ（スイッチ部材）１と、可動部１３に装着されるノブ（操作部材）２と、可動部１３と本体部１１との間に配置されるスペーサー３と、スイッチ１を前面に配置する回路基板４と、スイッチ１を覆い回路基板４の前面に配置されるケース部材５と、ケース部材５の前面に配置される表示板６と、ケース部材５とノブ２との間に配置される緩衝部材７と、を少なくとも有する。
【００１２】
スイッチ１は、金属材料や樹脂材料からなる電子部品からなり、直線変位や回転変位を検出するセンサ（エンコーダ）である。スイッチ１は、本体部１１と、本体部１１から延出する軸部１２と、軸部１２に接続され押下及び回動可能な可動部１３と、を有する。スイッチ１は、本体部１１が回路基板４の前面に実装配置される。本体部１１は、直方体状に形成される。軸部１２は、本体部１１から前後方向の前方に円筒状に延出形成される。
【００１３】
可動部１３は、本体部１１側が開口した円筒状に形成され、軸部１２の前面を覆うように配置される。可動部１３は、円筒状の外周部１３ａにＤの字の形状のように一部がカットされたＤカット部１３ｂを有する。可動部１３は、前後方向の押下と、回路基板４の平面方向の回動が可能である。計器装置は、液晶表示器などの表示器（図示しない）を有し、スイッチ１は、表示器に表示される表示内容の切り替え等を受け付ける。
【００１４】
ノブ２は、例えば黒等の不透明な合成樹脂（例えばポリアセタール）からなり、スイッチ１と嵌合する保持部２１と、ユーザーが触れて操作する操作部２２と、を有する。保持部２１は、可動部１３側が開口した円筒状に形成され、可動部１３に挿入され連結される。
【００１５】
保持部２１の内周部２１ａは、可動部１３の外周部１３ａとほぼ同寸法で形成され、ノブ２は可動部１３の外周部１３ａに圧入状態で装着される。操作部２２は、保持部２１から前後方向に円柱状に延出形成される。このように連結されることで、ユーザーの保持部２１の押下及び回動操作がスイッチ１に伝えられる。
【００１６】
回路基板４は、例えば、ガラスエポキシ樹脂（Ｇｌａｓｓ  Ｆｉｂｅｒ  Ｒｅｉｎｆｏｒｃｅｄ  Ｐｌａｓｔｉｃｓ）からなる絶縁性を有する板状の基材に各種配線がプリントされて構成される。回路基板４には、前面にスイッチ１や、その他に、図示しない液晶表示器、発光ダイオード、必要な電子素子等が実装され、それらが電気的に接続されている。回路基板４は、図示しない制御部（表示用駆動回路）が実装される。この制御部は、スイッチ装置１００で検出した入力情報に基づいて、液晶表示器等の表示部を表示させることができる。
【００１７】
ケース部材５は、例えば遮光性のある白色の合成樹脂材（例えば、ポリプロピレン ）からなり、回路基板４の前面に配置される。ケース部材５は、スイッチ１及び、ノブ２の保持部２１、ノブ２の操作部２２の一部を覆う筒状部５１を有する。ケース部材５は、ノブ２の操作部２２が挿通する貫通孔５２を有する。
【００１８】
表示板６は、基材の表裏面に黒色などの遮光性インキが印刷されたものからなる。基材は、例えば薄板状の透光性の合成樹脂（例えばポリカーボネート）からなる。表示板６は、ケース部材５の前面に配置される。表示板６は、ノブ２の操作部２２が挿通する貫通孔６１を有する。
【００１９】
緩衝部材７は、例えばスポンジなどからなり、リング状に形成される。緩衝部材７は、ノブ２の操作部２２に嵌められ、保持部２１の前面側の保持部前面２１ｃに着座する。ケース部材５は、保持部前面２１ｃと対向する抜け止め部５３を有する。緩衝部材７は、保持部前面２１ｃと抜け止め部５３と間に配置され、両者により挟持される。このように形成されることで、抜け止め部５３は、ノブ２がスイッチ１から抜けることを防止する。
【００２０】
スペーサー３は、例えば黒等の不透明な合成樹脂（例えばポリアセタール）からなり、リング部３１と、腕部３２と、を有する。リング部３１は、円筒状の一部が切りかかれた切り欠き部３１ａを１個所有するＣリング状に形成される。スペーサー３は、スイッチ１の軸部１２が切り欠き部３１ａを通り、軸部１２に嵌合し、可動部１３と本体部１１の間に配置される。
【００２１】
リング部３１の前面であるリング前面３１ｂは、リング部３１の前面に配置される可動部１３との間に微小な隙間Ｓ１を有する。隙間Ｓ１は、可動部１３のストロークよりも小さく設定されている。ここで、可動部１３のストロークとは、可動部１３が押下されることによりスイッチ１の内部の押下スイッチが機能するときのストロークである。
【００２２】
このように形成され、可動部１３が押下されると、可動部１３がスペーサー３に当接するので、可動部１３が押下されることを防止することができる。
【００２３】
また、リング前面３１ｂは、ノブ２の保持部２１との間に隙間Ｓ２を有する。
隙間Ｓ２は、隙間Ｓ１よりも大きく設定されている。つまり、保持部２１が可動部１３と嵌合した時に、保持部２１のスペーサー３側の端面２１ｂは、可動部１３のスペーサー３側の端面１３ｃよりも前面側へ位置する。
【００２４】
このように形成され、保持部２１がスペーサー３に当接することによる、保持部２１の可動部１３への圧入が阻害されることを防止することができる。
【００２５】
スペーサー３の腕部３２は、リング部３１の切り欠き部３１ａを対象とする位置に一対に形成される。腕部３２は、断面四角形でスイッチ１の本体部１１に沿って回路基板４の方に延出し、その後、回路基板４の平面方向に沿って本体部１１の反対方向に延びる。ケース部材５の筒状部５１は、腕部３２に対向する位置にコの字状に形成された溝部５４を有する。溝部５４は、前後方向が腕部３２の高さと略同一に形成され、左右方向が腕部３２の断面より僅かに大きく形成され、回路基板４との間で挟持する。
【００２６】
このように形成され、腕部３２が溝部５４の中に収容され、回路基板４とで挟持されることで、スペーサー３の前後方向を固定することができる。また、スペーサー３の回路基板４の平面方向の回転を防止することができる。
【００２７】
スペーサー３は、腕部３２の本体部１１側に、本体部１１と当接するリブ部３３を有する。このように形成され、一対のリブ部３３で本体部３２を挟持することで、スペーサー３を仮固定することができるので、腕部３２がケース部材５と回路基板４との間で挟持されるまでの、位置決めをすることができる。
【００２８】
尚、本開示は前述した本実施形態に限定されるものでなく、本開示の要旨の範囲において、種々の変形が可能である。例えば、リング部３１は、円筒状の一部が切りかかれた切り欠き部３１ａを１個所有するＣリング状に形成されていたが、コの字状に形成されてもよい。
【００２９】
本開示は、スイッチ装置に関し、例えば、自動車やオートバイ、あるいは農業機械や建設機械を備えた移動体に搭載される車両用のスイッチ装置に適用することができる。
【符号の説明】
【００３０】
１  スイッチ（スイッチ部材）
１１  本体部
１２  軸部
１３  可動部
２  ノブ（操作部材）
２１  保持部
２２  操作部
３  スペーサー
３１  リング部
３２  腕部
４  回路基板
５  ケース部材
５１  抜け止め部
５２  腕部
５２ａ  リブ部
６  表示板
７  緩衝部材
Ｓ１  隙間
Ｓ２  隙間
【図１】
2020173930.tif 000003
【図２】
2020173930.tif 000004
【図３】
2020173930.tif 000005